(57)【特許請求の範囲】
【請求項１】
床面に接触する床面接触部材と、
対象物の下部または前記床面接触部材に固定された高さ調整ボルトと、
前記下部または前記床面接触部材のうち、前記高さ調整ボルトが取り付けられていない側に配置され、前記高さ調整ボルトと螺合する雌ねじを有する雌ねじ部と、を備え、
前記高さ調整ボルトの前記雌ねじへの螺合量を調整することにより、前記床面接触部材の前記下部からの距離を調整可能に構成されてなるアジャスタ構造であって、
前記下部または前記床面接触部材のいずれか一方に取り付けられて、前記一方とは異なる他方と当接して前記高さ調整ボルトの前記雌ねじに対する回転を抑制する抑制位置と、前記回転を抑制しない解除位置と、に変位可能に構成されてなる当接部を備える
ことを特徴とするアジャスタ構造。
【請求項２】
前記床面接触部材は、前記抑制位置に位置する前記当接部よりも下方向に突出した突出部が形成されている
ことを特徴とする請求項１に記載のアジャスタ構造。
【請求項３】
前記当接部は、前記一方へ取り付けられる領域と、前記他方と当接する領域と、を有する１つの部材で構成されている
ことを特徴とする請求項１または請求項２に記載のアジャスタ構造。
【請求項４】
前記他方は、穴または切り欠きが形成されており、
前記当接部は、前記一方に取り付けられた状態において、前記当接部の一部が前記穴または前記切り欠きに挿入された状態で前記他方と当接する
ことを特徴とする請求項１から請求項３のいずれか１項に記載のアジャスタ構造。
【請求項５】
前記穴または前記切り欠きは、前記他方に設けられた前記高さ調整ボルトまたは前記雌ねじの軸に中心を有する円の円周上に複数形成されている
ことを特徴とする請求項４に記載のアジャスタ構造。
【請求項６】
前記穴または前記切り欠きは、前記高さ調整ボルトまたは前記雌ねじの軸に中心を有する円の円周方向の長さが、前記当接部における前記一部の前記円周方向の長さよりも大きく形成されている
ことを特徴とする請求項４または請求項５に記載のアジャスタ構造。
【請求項７】
前記一方は前記対象物の下部であり、
前記他方は床面接触部材であり、
前記当接部は、頭を有し、床面側から前記下部に向けて螺入するねじであり、
前記穴または前記切り欠きは、前記ねじを前記下部に取り付けたときに前記頭が前記穴または前記切り欠きの周縁部に当接するように形成されている
ことを特徴とする請求項４から請求項６のいずれか１項に記載のアジャスタ構造。
【請求項８】
前記床面接触部材は、前記床面接触部材の下面を覆う被覆部材を備え、
前記被覆部材は、前記床面接触部材に係合する係合部を有しており、前記係合部を前記床面接触部材と係合させることで、前記被覆部材が前記床面接触部材に取り付けられる
ことを特徴とする請求項１から請求項７のいずれか１項に記載のアジャスタ構造。
【請求項９】
前記床面接触部材は、前記床面接触部材の下面を覆う被覆部材を備え、
前記被覆部材は、前記穴または前記切り欠きに係合する係合片を有しており、前記係合片を前記穴または前記切り欠きと係合させることで、前記被覆部材が前記床面接触部材に取り付けられる
ことを特徴とする請求項４から請求項７のいずれか１項に記載のアジャスタ構造。
【請求項１０】
前記当接部には、前記床面接触部材の下面を覆う被覆部が形成されている
ことを特徴とする請求項１に記載のアジャスタ構造。
【請求項１１】
前記当接部は、前記抑制位置において、前記他方に当接して取り付けられている
ことを特徴とする請求項１から請求項１０のいずれか１項に記載のアジャスタ構造。
【請求項１２】
前記下部に取り付けられて前記下部の少なくとも一部をカバーするカバー部を備え、
前記カバー部には、前記高さ調整ボルトまたは前記雌ねじ部が形成されている
ことを特徴とする請求項１から請求項１１のいずれか１項に記載のアジャスタ構造。
【請求項１３】
請求項１から請求項１１のいずれか１項に記載されたアジャスタ構造を構成する前記床面接触部材および前記当接部を備える
ことを特徴とするアジャスタ部材。
【請求項１４】
請求項１２に記載されたアジャスタ構造を構成する前記床面接触部材、前記当接部、および前記カバー部を備える
ことを特徴とするアジャスタ部材。
【発明の詳細な説明】
【技術分野】
【０００１】
本発明は、床面に設置される対象物の床面側に配置される床面接触部材の高さ調整を可能とするアジャスタ構造、およびそのアジャスタ構造にて用いられるアジャスタ部材に関する。
【背景技術】
【０００２】
家具などの床面に設置される対象物の下部には、床面や対象物の傷防止のために樹脂などの比較的柔らかい材質で構成された部品が取り付けられる場合がある。例えば、机におけるパイプ形状のベース（脚部）であって、端部にキャップを取り付け、そのキャップの床面側にアジャスタを取り付けてなるベースが提案されている（特許文献１参照）。
【先行技術文献】
【特許文献】
【０００３】
【特許文献１】特開２０００−１６６６７２号公報
【発明の概要】
【発明が解決しようとする課題】
【０００４】
家具などの対象物の下部に取り付けられる一般的なアジャスタは、床面に接触する床面接触部材とねじとを備えており、ねじの螺合量を調整することによって下部からの距離が調整できるように構成されている。
【０００５】
このようなアジャスタが設けられた対象物を移動させると、床面接触部材が床面に接触して回転してしまう場合があり、対象物の移動を繰り返すうちにねじの螺合量が変化して、対象物の下部から床面接触部材までの距離が変化してしまい、最悪の場合外れてしまうという問題があった。
【０００６】
また、対象物にアジャスタの機能が要求されるか否かは、対象物を使用する使用者、または使用環境によって異なる。しかしながら、対象物の製造および販売段階において、アジャスタ部分の構成のみが異なる複数種類の対象物を準備することは不効率であるという問題があった。
【０００７】
本発明は、上述した問題に鑑みてなされたものであり、その目的は、床面と接触する床面接触部材から対象物の下部までの距離を一定に保つことができるアジャスタ構造およびアジャスタ部材を提供することである。
【課題を解決するための手段】
【０００８】
上述した問題を解決するためになされた請求項１に記載の発明は、床面に接触する床面接触部材と、対象物の下部または前記床面接触部材に固定された高さ調整ボルトと、前記下部または前記床面接触部材のうち、前記高さ調整ボルトが取り付けられていない側に配置され、前記高さ調整ボルトと螺合する雌ねじを有する雌ねじ部と、を備え、前記高さ調整ボルトの前記雌ねじへの螺合量を調整することにより、前記床面接触部材の前記下部からの距離を調整可能に構成されてなるアジャスタ構造であって、前記下部または前記床面接触部材のいずれか一方に取り付けられて、前記一方とは異なる他方と当接して前記高さ調整ボルトの前記雌ねじに対する回転を抑制する抑制位置と、前記回転を抑制しない解除位置と、に変位可能に構成されてなる当接部を備えることを特徴とする。
【０００９】
このように構成されたアジャスタ構造では、当接部を抑制位置に変位させることで、高さ調整ボルトの雌ねじに対する回転（以降、高さ調整ボルトの回転とはこのことを指す）が抑制されるため、床面接触部材から対象物の下部までの距離（以降、単に床面接触部材の高さ、ともいう）を一定に保つことができる。
【００１０】
また、当接部を解除位置に変位させることで、高さ調整ボルトが回転可能となり、床面接触部材の高さを調整できるようになる結果、床面接触部材から対象物の下部までの距離を調整することができる。
【００１１】
すなわち、上記アジャスタ構造であれば、床面接触部材の高さを変化させることができるアジャスタの機能と、床面接触部材の高さを固定した単なる脚端の機能と、の切り替えを、当接部の変位により実現することができる。
【００１２】
これにより、対象物を製造販売する際に、アジャスタの機能を有する対象物と有さない対象物とを両方準備する必要がなくなり都合がよい。
なお、上述した当接部は、抑制位置において高さ調整ボルトの回転を抑制し、解除位置においてその回転を抑制しないようにできる限りにおいて、さまざまな構成を用いることができる。
【００１３】
例えば、対象物の下部または床面接触部材のいずれか一方に常時取り付けられていて、取り付けられた状態で抑制位置と解除位置とに変位するかんぬきやレバーを当接部とする構成や、ねじ部材のように着脱可能なものを当接部とし、例えばねじ部材を締めて床面接触部材と対象物とを固定する構成が考えられる。
【００１４】
また、抑制位置および解除位置は、上記回転を抑制する位置、または回転の抑制を解除する位置であればよい。即ち、当接部を構成する少なくとも１つの構成要素が対象物の下部または床面設置部材から取外された際に、上記回転の抑制、または抑制の解除を実現できるならば、その外れた位置が抑制位置、解除位置となる。
【００１５】
なお、上述したねじ部材が当接部である場合、例えば、床面接触部材と対象物との固定が実現できるまでねじが締められたときのねじ部材の位置が抑制位置となり、ねじを緩めて上記一方から取外したときの位置や、若しくは、上記一方には取り付けられているものの、ねじの締め具合が所定量以下となり、上記固定ができなくなったときのねじ部材の位置が解除位置となる。
【００１６】
また、上述した当接部が複数の構成要素からなる場合、当接部全体として上記回転を抑制している場合には、当接部は抑制位置となる。また、いずれか１つの構成要素でも高さ調整ボルトの回転を抑制しなくなる位置にあれば、他の構成要素が抑制位置のときと同じ位置にあっても当接部としては解除位置となる。
【００１７】
なお、対象物の下部において、高さ調整ボルトまたは雌ねじ部は、対象物に直接形成されていてもよいし、対象物の下部に固定された別体の部品に設けられていてもよい。別体の部品とは、例えば、対象物の下部を保護する樹脂部品などが該当する。
【００１８】
請求項２に記載の発明は、請求項１に記載のアジャスタ構造において、前記床面接触部材に、前記抑制位置に位置する前記当接部よりも下方向に突出した突出部が形成されていることを特徴とする。
【００１９】
このように構成されたアジャスタ構造では、当接部が床面に接触せず、床面接触部材を床面に接触させることができる。よって、当接部と床面が接触して当接部が破損したり床面に傷が付いたりすることを抑制できる。また、突出部が当接部より外側に配置されるなどして、突出部により当接部を隠すように構成すれば、外観を良くすることも可能となる。なお、上述した下方向とは、床面接触部材が組み付けられて使用状態にあるときの下方向であって、床面の方向である。
【００２０】
請求項３に記載の発明は、請求項１または請求項２に記載のアジャスタ構造において、前記当接部が、前記一方へ取り付けられる領域と、前記他方と当接する領域と、を有する１つの部材で構成されていることを特徴とする。
【００２１】
このように構成されたアジャスタ構造では、１つの部材からなる当接部にて高さ調整ボルトの回転、および回転の抑制が制御されるため、当接部が複数の部材からなる場合と比較して部品点数の削減を実現できる。このような当接部として、まずは、上述した一方へ取り付けられる領域に相当する嵌合部と、上述した他方と当接する領域に相当する頭と、を有するピンを用いることが考えられる。この場合には、例えば、ピンが上述した一方に対して嵌合された状態で他方に頭などを当接させて回転を抑制することができる。また、ピン以外に、頭とねじ部とを有する雄ねじを用いて、上記ピンと同様に使用してもよい。
【００２２】
請求項４に記載の発明は、請求項１から請求項３のいずれか１項に記載のアジャスタ構造において、前記他方には穴または切り欠きが形成されており、前記当接部が、前記一方に取り付けられた状態において、前記当接部の一部が前記穴または前記切り欠きに挿入された状態で前記他方と当接することを特徴とする。
【００２３】
このように構成されたアジャスタ構造では、当接部が穴または切り欠き（以降、単に穴等ともいう）の内周壁に当接して高さ調整ボルトの回転を抑制できる。なお、当接部が頭を有するねじやピンであれば、その頭を穴等の周縁部に当接させることで、より良好に高さ調整ボルトの回転を抑制できる。
【００２４】
なお、上述した穴とは、貫通した穴であってもよいし、貫通していない穴であってもよい。またいずれかの方向に細長く窪んだ溝形状であってもよい。
請求項５に記載の発明は、請求項４に記載のアジャスタ構造において、前記他方に設けられた前記穴または前記切り欠きが、前記高さ調整ボルトまたは前記雌ねじの軸に中心を有する円の円周上に複数形成されていることを特徴とする。
【００２５】
他方が穴等を有する場合において、穴等に当接部を挿入した状態で当接部を一方に取り付けるためには、高さ調整ボルトを回転させて、穴等の位置を所定の位置に合わせる必要がある。しかしながら上述した構成のアジャスタ構造においては、高さ調整ボルトの回転軸を中心とする円の円周上に穴等が複数形成されているため、いずれかの穴等を所定の位置に合わせればよく、高さ調整ボルトの回転による位置合わせが容易になり、高さ調整ボルトの回転量を任意に定めることができる結果、床面接触部材を任意の高さで固定することができるようになる。
【００２６】
また、床面接触部材を対象物の下部に最も接近させた状態で固定する場合、床面接触部材を回転させて高さ調整ボルトを締め付けることになる。その締め付けた状態にて穴等が所定の位置に位置していない場合、位置を合わせるためにさらに無理やり締め付けたり、締め付けを緩めたりして締め付け量を変化させる必要があるが、穴等が複数形成されていれば、穴等を所定の位置に合わせるために高さ調整ボルトの締め付け量を大きく変化させる必要がなくなり都合がよい。
【００２７】
請求項６に記載の発明は、請求項４または請求項５に記載のアジャスタ構造において、前記穴または前記切り欠きにおける前記高さ調整ボルトまたは前記雌ねじの軸に中心を有する円の円周方向の長さが、前記当接部における前記一部の前記円周方向の長さよりも大きく形成されていることを特徴とする。
【００２８】
このように構成されたアジャスタ構造では、高さ調整ボルトの回転方向に関して、穴等の長さが当接部の長さよりも長いため、高さ調整ボルトを回転させることによる穴等の位置合わせを容易に行うことができる。また、当接部を上述した一方に取り付けた後であっても、当接部が穴等の内で移動可能な範囲で高さ調整ボルトを回転させることができ、床面接触部材の高さを微調整できるようになる。
【００２９】
請求項７に記載の発明は、請求項４から請求項６のいずれか１項に記載のアジャスタ構造において、前記一方が前記対象物の下部であり、前記他方が床面接触部材であり、前記当接部が、頭を有し、床面側から前記下部に向けて螺入するねじであり、前記穴または前記切り欠きが、前記ねじを前記下部に取り付けたときに前記頭が前記穴または前記切り欠きの周縁部に当接するように形成されていることを特徴とする。
【００３０】
なお、ここでいう周縁部とは、穴等の内周壁および開口部分の近傍が該当する。
このように構成されたアジャスタ構造では、上記ねじを床面側から対象物の下部に螺入すると、ねじの側面が穴等の内周壁に当接したり、頭が開口部分の近傍をねじの螺入方向に押圧したりすることで、高さ調整ボルトの回転を抑制して床面接触部材の高さが変わることを防止できる。
【００３１】
また、床面接触部材の高さが変化しても、ねじの螺入量を調整することで穴等に適切に当接させることができる。
請求項８に記載の発明は、請求項１から請求項７のいずれか１項に記載のアジャスタ構造において、前記床面接触部材が、前記床面接触部材の下面を覆う被覆部材を備え、前記被覆部材が、前記床面接触部材に係合する係合部を有しており、前記係合部を前記床面接触部材と係合させることで、前記被覆部材が前記床面接触部材に取り付けられることを特徴とする。
【００３２】
このように構成されたアジャスタ構造では、被覆部材により床面接触部材にさまざまな機能を付加することができる。例えば床面に対して滑りやすい、または滑りにくい被覆部材を取り付けたり、床面接触部材よりも硬い、または柔らかい被覆部材を取り付けたりすることができる。  また、被覆部材が当接部を覆い隠すように構成すれば、当接部の破損防止や外観を良くすることができる。
【００３３】
請求項９に記載の発明は、請求項４から請求項７のいずれか１項に記載のアジャスタ構造において、前記床面接触部材が、前記床面接触部材の下面を覆う被覆部材を備え、前記被覆部材が、前記穴または前記切り欠きに係合する係合片を有しており、前記係合片を前記穴または前記切り欠きと係合させることで、前記被覆部材が前記床面接触部材に取り付けられることを特徴とする。
【００３４】
このように構成されたアジャスタ構造では、穴等に係合片を係合させることで床面接触部材にさまざまな機能を付加することができる。例えば床面に対して滑りやすい、または滑りにくい被覆部材を取り付けたり、床面接触部材よりも硬い、または柔らかい被覆部材を取り付けたりすることができる。また、  当接部を当接させるために形成された穴等を係合に利用しているため、係合片が係合する部分を床面接触部材に別途設ける必要がなく都合がよい。
【００３５】
請求項１０に記載の発明は、請求項１に記載のアジャスタ構造において、前記当接部には、前記床面接触部材の下面を覆う被覆部が形成されていることを特徴とする。
このように構成されたアジャスタ構造では、当接部を抑制位置に変位させることにより高さ調整ボルトの回転を抑制できるうえ、当接部に形成された被覆部により床面接触部材にさまざまな機能を付加することができる。例えば床面に対して滑りやすい、または滑りにくい被覆部を取り付けたり、床面接触部材よりも硬い、または柔らかい被覆部を取り付けたりすることができる。
【００３６】
さらに、上述したアジャスタ構造では、被覆のための被覆部材を当接部と別体として準備する必要がないので、部品点数をすくなくすることができる。
請求項１１に記載の発明は、請求項１から請求項１０のいずれか１項に記載のアジャスタ構造において、前記当接部が、前記抑制位置において、前記他方に当接して取り付けられていることを特徴とする。
【００３７】
このように構成されたアジャスタ構造では、当接部が上述した一方、他方の両方に取り付けられるため、高さ調整ボルトの回転を強固に抑制することができる。
請求項１２に記載の発明は、請求項１から請求項１１のいずれか１項に記載のアジャスタ構造において、前記下部に取り付けられて前記下部の少なくとも一部をカバーするカバー部を備え、前記カバー部には、前記高さ調整ボルトまたは前記雌ねじ部が形成されていることを特徴とする。
【００３８】
このように構成されたアジャスタ構造では、対象物の下部に備えられるカバー部に高さ調整ボルトまたは雌ねじ部が形成されているため、対象物の下部に高さ調整ボルトや雌ねじ部を直接設ける必要がなくなる。
【００３９】
なお、カバー部がカバーする領域は対象物下部であればどのような領域であってもよく、例えば側面や床面をカバーするものが考えられる。
請求項１３に記載の発明は、請求項１から請求項１１のいずれか１項に記載されたアジャスタ構造を構成する前記床面接触部材および前記当接部を備えることを特徴とするアジャスタ部材である。
【００４０】
このように構成されたアジャスタ部材であれば、請求項１から請求項１１のいずれか１項に記載されたアジャスタ構造を構成する対象物下部の高さ調整ボルトまたは雌ねじと共に用いることにより、上述した請求項１から請求項１１のいずれか１項のアジャスタ構造と同様の作用・効果を得ることができる。
【００４１】
請求項１４に記載の発明は、請求項１２に記載されたアジャスタ構造を構成する前記床面接触部材、前記当接部、および前記カバー部を備えることを特徴とするアジャスタ部材である。
【００４２】
このように構成されたアジャスタ部材であれば、対象物の下部に高さ調整ボルトや雌ねじ部を直接設ける必要がなくなるうえ、上述した請求項１から請求項１１のいずれか１項のアジャスタ構造と同様の作用・効果を得ることができる。
【図面の簡単な説明】
【００４３】
【図１】アジャスタ構造を用いた机の側面図（Ａ）、および正面図（Ｂ）
【図２】机の脚部後方の底面図（Ａ）、および（Ａ）におけるＡ−Ａ断面図（Ｂ）
【図３】脚部後方のみの底面図（Ａ）、および（Ａ）におけるＢ−Ｂ断面図（Ｂ）
【図４】カバー部材の側面図
【図５】アジャスタ構造の変形例の図
【図６】アジャスタ構造の変形例の図
【図７】アジャスタ構造の変形例の図
【図８】アジャスタ構造の変形例の図
【図９】アジャスタ構造の変形例の図
【図１０】アジャスタ構造の変形例の図
【図１１】アジャスタ構造の変形例の図
【図１２】アジャスタ構造の変形例の図
【図１３】アジャスタ構造の変形例の図
【図１４】アジャスタ構造の変形例の図
【図１５】アジャスタ構造の変形例の図
【発明を実施するための形態】
【００４４】
以下に本発明の実施形態を図面と共に説明する。ただし、以下に説明する実施形態は、あくまでも例示にすぎず、本発明が、下記の事例以外にもさまざまな形態で実施できるのはもちろんである。
［実施例］
（１）全体構成
本実施例のアジャスタ構造を用いた机２を図１（Ａ），（Ｂ）に示す。
【００４５】
この机２は、左右に配置された一対の脚部４と、脚部４から上方向に延び出す一対の支柱６と、支柱６同士を連結する連結部８と、一対の支柱６により支持される天板１０とを備える。
【００４６】
脚部４の前方下部にはアジャスタ機能のない脚端具１２が取り付けられている。一方、脚部４の後方下部には、アジャスタ部材１４などからなるアジャスタ構造が設けられている。これら脚端具１２、アジャスタ部材１４の下面が床面１６と接触している。
【００４７】
脚部４の後方の拡大図を図２に示す。図２（Ａ）は脚部４の後方下部の底面図、図２（Ｂ）は図２（Ａ）におけるＡ−Ａ断面図である。アジャスタ構造は、床面接触部材３０、高さ調整ボルト３２、カバー部材３４、第１ねじ３６、第２ねじ３８、などからなる。これらのうち、床面接触部材３０、高さ調整ボルト３２、第１ねじ３６がアジャスタ部材１４を構成している。なお、第１ねじ３６が本発明における当接部に相当する。
【００４８】
また、アジャスタ部材１４およびカバー部材３４を外した状態における脚部４の後方下部の拡大図を図３に示す。図３（Ａ）は脚部４の後方下部の底面図、図３（Ｂ）は図３（Ａ）におけるＢ−Ｂ断面図である。脚部４は中空の柱状の部材であって、端部に開口２０を有している。また下側（床面側）に、切り欠き２２、第１ねじ穴２４、第２ねじ穴２６が形成されている。
【００４９】
説明を図２に戻る。床面接触部材３０は略円板形状の部材であって、その円板形状の軸Ｃと軸を同じくして高さ調整ボルト３２が固定されている。床面接触部材３０には、軸Ｃを中心とする円の円周上に複数並んだ係止穴４０が複数形成されている。
【００５０】
また、床面接触部材３０には、係止穴４０に第１ねじ３６を挿入した状態で、第１ねじ３６の頭４２よりも下方向に突出した突出部４４ａ，４４ｂが形成されている。４４ａは係止穴４０よりも外側において軸Ｃを中心とする円形状に突出しており、４４ｂは４０よりも内側において軸Ｃを中心とする円形状に突出している。
【００５１】
カバー部材３４の側面図を図４に示す。カバー部材３４は、図３に示す開口２０を覆うキャップ５０と、開口２０から内部に挿入される挿入部５２と、を有している。挿入部５２には、第１雌ねじ５４、第２雌ねじ５６、空隙５８などが形成されている。挿入部５２が開口２０に挿入された状態において、第１雌ねじ５４はその開口が切り欠き２２に沿って位置し、第２雌ねじ５６はその開口が第２ねじ穴２６に沿って位置する。また空隙５８は、下方向に開口が形成されている。
【００５２】
説明を図２に戻る。第１ねじ３６は、頭４２と、ねじ部６０と、からなる。第１ねじ３６は、下側（床面側）から、係止穴４０にねじ部６０を通して第１ねじ穴２４に螺入される。ねじ部６０が第１ねじ穴２４と螺合することにより、第１ねじ３６が脚部４に取り付けられる。なお、第１ねじ穴２４を通過したねじ部６０は空隙５８に挿入される。
【００５３】
このとき第１ねじ３６は係止穴４０に挿入されているので、ねじ部６０の側面が係止穴４０の内周壁に接触すると共に、頭４２が係止穴４０の周縁部を形成する面６２に当接して螺入方向に押圧し、高さ調整ボルト３２の回転が抑制される。
【００５４】
なお、上記螺合した状態における第１ねじ３６の位置が本発明の抑制位置に相当し、螺合が解除されて抜けたときの第１ねじ３６の位置が解除位置に相当する。
第２ねじ３８は、頭６４と、ねじ部６６と、からなる。第２ねじ３８は、挿入部５２が開口２０に挿入された状態において、第２ねじ穴２６を通して第２雌ねじ５６に螺入され、脚部４とカバー部材３４とを固定する。
【００５５】
また、高さ調整ボルト３２は切り欠き２２を通過して第１雌ねじ５４と螺合する。第１雌ねじ５４と高さ調整ボルト３２との螺合量を調整することにより、床面接触部材３０の脚部４からの距離が調整可能となる。
（２）発明の効果
以上説明したアジャスタ構造では、第１ねじ３６を抑制位置に変位させることで、高さ調整ボルト３２の第１雌ねじ５４に対する回転（以降、高さ調整ボルト３２の回転とはこのことを指す）が抑制されるため、床面接触部材３０から脚部４までの距離（以降、単に床面接触部材３０の高さ、ともいう）を一定に保つことができる。
【００５６】
また、第１ねじ３６を解除位置に変位させることで、高さ調整ボルト３２が回転可能となり、床面接触部材３０の高さを調整できるようになる結果、床面接触部材３０から脚部４までの距離を調整することができる。
【００５７】
すなわち、上記アジャスタ構造であれば、床面接触部材３０の高さを変化させることができるアジャスタの機能と、床面接触部材３０の高さを固定した単なる脚端の機能と、の切り替えを、第１ねじ３６の着脱により実現することができる。
【００５８】
また、上記アジャスタ構造においては、突出部４４ａ，４４ｂが第１ねじ３６の頭４２よりも下方向に突出しているため、頭４２と床面が接触して第１ねじ３６が破損したり床面に傷が付いたりすることを抑制できる。また突出部４４ａが第１ねじ３６よりも外側に位置しているため、第１ねじ３６が外側から見えず、外観を良くすることができる。
【００５９】
また、上記アジャスタ構造では、第１ねじ３６のみを操作することにより、高さ調整ボルト３２の回転、および回転の抑制が制御できる。よって、その制御に複雑な構成を用いる必要がなく、また操作が容易であるため都合がよい。
【００６０】
また、上記アジャスタ構造では、第１ねじ３６の頭４２によって床面接触部材３０の面６２を押圧したり、第１ねじ３６のねじ部６０が係止穴４０の内周壁に当接したりすることによって、高さ調整ボルト３２の回転を抑制できる。なお、係止穴４０は複数形成されているため、そのうちのいずれかを第１ねじ穴２４に合わせれば第１ねじ３６の螺合が可能となるので、係止穴４０と第１ねじ穴２４との位置合わせを容易に行うことができ、高さ調整ボルト３２の回転量を任意に定めることができる結果、床面接触部材３０を任意の高さで固定することができるようになる。
【００６１】
さらに、床面接触部材３０を脚部４に最も接近させた状態で固定する場合、すなわち、高さ調整ボルト３２と第１雌ねじ５４との螺合を最大限に行った状態で高さ調整ボルト３２の回転を抑制する場合に、係止穴４０と第１ねじ穴２４との位置がずれていると、位置を合わせるためにさらに無理やり高さ調整ボルト３２を締め付けたり、締め付けを緩めたりして螺合量を変化させる必要があるが、係止穴４０が複数形成されていれば、係止穴４０の位置を合わせるために高さ調整ボルト３２の螺合量を大きく変化させる必要がなくなり都合がよい。
【００６２】
また、上記アジャスタ構造では、第１ねじ３６を床面側から脚部４に螺入することで、高さ調整ボルト３２の回転を抑制しているため、高さ調整ボルト３２を回転させて床面接触部材３０の高さが変化しても、第１ねじ３６の螺合量を調整することでねじの頭４２の高さを任意に変化させることができるため、床面接触部材３０を任意の高さに調整しても係止穴４０に適切に当接させて高さの変化を抑制することができる。
【００６３】
また、上記アジャスタ構造では、カバー部材３４に第１雌ねじ５４が形成されているため、脚部４に第１雌ねじ５４を直接設ける必要がなくなる。
また、上記アジャスタ構造を適用した机２は、床面接触部材３０を脚部４に最も接近させた状態で固定しておくことで、アジャスタとしての機能と、アジャスタの機能のない脚端の機能と、の両方を付与することができる。つまり、第１ねじ３６が螺合した抑制位置のままにすることで、アジャスタ機能のない脚端として機能させ、第１ねじ３６を外して解除位置とすることで、アジャスタ機能を発揮させることができる。
【００６４】
これにより、例えば机２の使用者がどちらの機能を利用するかわからない場合であっても、机２にて両方に対応できる。そのため、例えばこのような机２を製造販売する場合には、アジャスタ機能を有さない脚端と、当該機能を有するアジャスタ部材と、の両方の部品を準備する必要がなく、また机２自体もそれらを付け替えたりする必要がないため都合がよい。
【００６５】
さらに、第１ねじ３６の着脱は、机２の出荷前に在庫品に対して行っても良いし、出荷後に使用者側で行ってもよいため、在庫や納期対応に柔軟性をもたせることができる。
（３）変形例
以上、本発明の実施例について説明したが、本発明は、上記実施例に何ら限定されることはなく、本発明の技術的範囲に属する限り種々の形態をとり得ることはいうまでもない。
【００６６】
例えば、上記実施例においては、第１ねじ３６を第１ねじ穴２４に螺合することで高さ調整ボルト３２の回転を抑制し、第２ねじ３８を第２雌ねじ５６に螺入させることで脚部４とカバー部材３４とを固定する構成を例示したが、第１ねじ３６のみで上記回転の抑制およびカバー部材３４の固定を行うように構成してもよい。例えば、図２（Ｂ）において、第２雌ねじ５６の位置を空隙５８の位置とし、第１ねじ３６が第１ねじ穴２４を通過した後さらに第２雌ねじ５６と螺合するように構成することで、第１ねじ３６のみで上記回転の抑制および固定が実現できる。
【００６７】
また、上記実施例においては、係止穴４０の外側に突出部４４ａが形成される構成を例示したが、図５に示す床面接触部材７０のように、係止穴７２の内側にのみ突出部７４が形成されていてもよい。なお、図５においては、第１ねじ３６および高さ調整ボルト３２の螺合する相手として、第１ねじ穴２４および第１雌ねじ５４のみを簡易的に記載し、他の構成要素は記載していない。以降の図においても同様とする。
【００６８】
また、上記実施例においては、係止穴４０に対して第１ねじ３６を挿入する構成を例示したが、図６（Ａ）〜（Ｃ）に示すように、切り欠きに第１ねじ３６が係止する構成であってもよい。図６（Ａ）に示す床面接触部材７６は、切り欠き７８の内周壁に第１ねじ３６が当接して係止する構成である。図６（Ｂ）に示すように、さらに突出部８０を設けてもよい。この場合、床面接触部材７６の床方向の面７６ａに第１ねじ３６の頭４２が当接して押圧するように構成してもよい。また、図６（Ｃ）に示す床面接触部材８２のように、第１ねじ３６の頭４２を突出させずに、頭４２で下方向（使用状態では上方向）に切り欠き８４を押圧できるように、切り欠きの幅を途中で変えて形成してもよい。
【００６９】
また、図７（Ａ）に示す床面接触部材８６のように、切り欠き８８を円周方向に複数形成してもよいし、図７（Ｂ）に示す床面接触部材９０のように、円周方向に長さを有する切り欠き９２を形成してもよい。また、図７（Ｃ）に示す床面接触部材９４のように、長穴形状の係止穴９６としてもよい。
【００７０】
この図７（Ａ）〜（Ｃ）のように構成する場合、係止穴や切り欠きの円周方向の長さが第１ねじ３６における係止穴や切り欠きに当接する部分の幅よりも長くなるように形成することで、第１ねじ穴２４への係止穴などの位置合わせがさらに行いやすくなるうえ、第１ねじ３６を脚部４に取り付けた後であっても、第１ねじ３６が係止穴や切り欠きの中で移動可能な範囲において、高さ調整ボルト３２を回転させることができ、床面接触部材の高さを微調整できるようになる。
【００７１】
また、上記実施例においては、第１ねじ３６のみを取り付けることによって高さ調整ボルトの回転を抑制する構成を例示したが、それ以外の部品を用いて回転抑制を実現する構成であってもよい。
【００７２】
具体例を図８に示す。図８（Ａ）は、家具１００の下部にアジャスタ構造が設けられた状態を示す図である。家具１００には、高さ調整ボルト３２と螺合する雌ねじ１０２と、第１ねじ３６と螺合する雌ねじ１０４とが形成されている。床面接触部材１１０には複数の切り欠き１１２が形成されている。また、係合板１１４には突起１１６と貫通孔１１８が形成されており、突起１１６を切り欠き１１２に係止させた状態で、第１ねじ３６を貫通孔１１８に通して雌ねじ１０４と螺合させることで、高さ調整ボルト３２の回転を抑制できる。
【００７３】
上述した切り欠きは床面接触部材側に形成されたものに限られない。例えば、図８（Ｂ）に示すように、床面接触部材１２０は高さ調整ボルト３２の付け根部分に角柱１２２が形成されており、また係合板１２４には角柱１２２を挟みこんで係止する切り欠き１２６が形成されている構成とすることが考えられる。この場合も、第１ねじ３６を貫通孔１２８に通して雌ねじ１０４と螺合させることで、高さ調整ボルト３２の回転を抑制できる。角柱が形成される場所は上述したものに限られず、図８（Ｃ）に示す床面接触部材１３０の角柱１３２のように、床面接触部材の側面に設けられていてもよい。
【００７４】
なお、上記図８（Ａ）に示すように、高さ調整ボルト３２と螺合する雌ねじは家具１００等の下部に直接形成されていてもよいし、図８（Ｂ）に示す雌ねじ１０６ように、家具１００の下部に取り付けられたカバー部材１０８に形成されていてもよい。
【００７５】
また、上記実施例においては、第１ねじ３６は、脚部４に対して取り付けられ、床面接触部材３０とは当接する構成を例示したが、図９（Ａ）に示すように、高さ調整ボルト３２の回転を抑制するための部材が、家具１００と床面接触部材１３０との両方に取り付けられる構成であってもよい。床面接触部材１３０は側面に雌ねじ１３２が形成されており、係止板１３４に形成された貫通孔１３６，１３８を通して雌ねじ１０４，１３２に第１ねじ３６を螺合させることができる。なお、このように家具１００と床面接触部材１３０との両方にねじ止めを行うことで、高さ調整ボルト３２の回転を強固に抑制することができる。
【００７６】
また、上記実施例とは逆に、第１ねじ３６が床面接触部材のみに取り付けられ、家具１００とは当接する構成であってもよい。例えば、図９（Ｂ）に示すように、係止板１４０は貫通孔１４２と突起１４４とが形成されており、床面接触部材１３０に対しては第１ねじ３６を貫通孔１４２を通して雌ねじ１３２に螺合することで取り付けを行い、家具１００に対しては、家具１００に形成された嵌合溝１４６に突起１４４を嵌合させることで係止する構成が考えられる。
【００７７】
ところで、床面接触部材は、図１０に示すように、被覆部材１６４などを取付可能に構成されていてもよい。図１０において、被覆部材１６４には、床面接触部材１６０と係合するための係合片１６６が複数形成されており、また床面接触部材１６０には、係合片１６６と係合するための係合溝１６２が形成されている。
【００７８】
このように構成されたアジャスタ構造では、被覆部材１６４により床面接触部材１６０にさまざまな機能を付加することができる。例えば床面に対して滑りやすい、または滑りにくい被覆部材１６４を取り付けたり、床面接触部材１６０よりも硬い、または柔らかい被覆部材１６４を取り付けたりすることができる。なお、上述した特性は被覆部材全体が有している必要はなく、床面に接触する部分のみが有する特性であってもよい。例えば、柔らかい被覆部材として、床面側の表面にフェルトが貼り付けられた樹脂製の被覆部材が考えられる。
【００７９】
なお、上記被覆部材１６４は中空部１６８が形成されており、第１ねじ３６の頭４２を中空部１６８に収めることで、床面に第１ねじ３６が接触してしまうことを防止できる。
なお、図１０においては先端が鉤状の係合片１６６を用いて被覆部材１６４を床面接触部材１６０に取り付ける構成を例示したが、床面接触部材１６０全体を覆うように被せて取り付ける構成であってもよいし、クリップなどの部材を用いて取り付ける構成であってもよい。
【００８０】
また、被覆部材は、床面接触部材に形成された、第１ねじ３６と当接するための係止穴や切り欠きを利用して床面接触部材に取り付けられる構成であってもよい。図１１に、床面接触部材３０ａに取り付けられる被覆部材１７０を示す。被覆部材１７０は、係止穴４０と係合する係合片１７２が形成されている。このように構成されたアジャスタ構造では、係合に係止穴４０を利用しているため、係合片１７２が係合する部分を床面接触部材３０ａに別途設ける必要がなく都合がよい。
【００８１】
なお、上述した被覆部材は、高さ調整ボルト３２の回転を抑制する部材に形成されていてもよい。例えば、図１２（Ａ）に示すように構成することが考えられる。図１２（Ａ）において、床面接触部材１８０には係止溝１８２が形成されており、係止板１８４には、床面接触部材１８０を被覆する被覆部１８６と、係止溝１８２に嵌合して係止する突起部１８８と、第１ねじ３６を用いて家具１００に係止板１８４を取り付けるための貫通孔１９０と、が形成されている。
【００８２】
このように構成されたアジャスタ構造では、高さ調整ボルト３２の回転を抑制するための係止板  １８４に形成された被覆部１８６により床面接触部材１８０にさまざまな機能を付加することができる。
【００８３】
また、図１２（Ｂ）に示す係止板１９２のように、床面接触部材１８０を被覆する被覆部１９４と、係止溝１８２に嵌合して係止する突起部１９６と、嵌合部１９８と、が形成されており、嵌合部１９８を家具１００に形成された嵌合溝２００と嵌合させることで高さ調整ボルト３２の回転を抑制するように構成してもよい。このような構成であれば、１つの部品で、床面接触部材１８０を被覆しつつ高さ調整ボルト３２の回転を抑制することができる。
【００８４】
また、上記実施例においては、第１ねじ３６（当接部）は脚部４（対象物の下部）に取り付けられ、床面接触部材３０に当接する構成を例示したが、第１ねじ３６が床面接触部材に取り付けられ、脚部４と当接するように構成されていてもよい。
【００８５】
上述した構成の例として、図１３（Ａ）に示すように、脚部２０２には、床面接触部材２０４が挿入される溝部２０８と、高さ調整ボルト３２が螺合する雌ねじ２１０と、第１ねじ３６が挿通可能な貫通孔２１２が形成されており、床面接触部材２０４には側面に雌ねじ２０６が形成されてなる構成が考えられる。このようなアジャスタ構造では、脚部２０２の側面から第１ねじ３６を挿入することで、高さ調整ボルト３２の回転を抑制できる。
【００８６】
また、図１３（Ｂ）に示すように構成してもよい。床面接触部材２２０の高さ調整ボルト２２２には、高さ調整ボルト２２２の先端かつ軸の中心から離れた位置に形成された嵌合溝２２４が形成されている。また、家具２２６には、高さ調整ボルト２２２が螺合する雌ねじ２２８と、高さ調整ボルト２２２の回転時に嵌合溝２２４が通過する位置に形成された貫通穴２３０と、が形成されてなる。このようなアジャスタ構造では、ピン２３２を貫通穴２３０を通して嵌合溝２２４に嵌合させることで、高さ調整ボルト２２２の回転を抑制できる。
【００８７】
また、上記実施例においては、脚部４側に第１雌ねじ５４が設けられ、床面接触部材３０側に高さ調整ボルト３２が設けられる構成を例示したが、床面接触部材側に雌ねじが設けられ、脚部４側に高さ調整ボルトが設けられる構成であってもよい。
【００８８】
また、上記実施例においては、第１ねじ３６は脚部４に直接取り付けられる構成を例示したが、カバー部材３４に取り付けられる構成であってもよい。
また、上記実施例および変形例は、着脱可能な第１ねじ３６を利用して高さ調整ボルト３２の回転を抑制する構成を例示したが、常時脚部４に取り付けられているかんぬきのような部材を備え、そのかんぬきを所定の位置に変位させることで床面接触部材と当接して高さ調整ボルトの回転を抑制する構成としてもよい。
【００８９】
例えば、図１４（Ａ），（Ｂ）に示すように構成することが考えられる。図１４（Ａ）に示すアジャスタ構造は、図８（Ａ）と同様の構成の床面接触部材１１０と、突起部２４０を有する係止板２４２と、家具１００の下部に形成されたガイド溝２４４と、からなる。係止板２４２は、断面Ｔ字形状のガイド部材２４６が設けられており、このガイド部材２４６における幅広の頂部２４８がガイド溝２４４を通過した内側に配置される（図１４（Ｂ）参照）。
【００９０】
このように構成された係止板２４２は、家具１００に常時取り付けられているものの、ガイド溝２４４の延びる方向（図中矢印方向）に自在に移動することができる。そして、突起部２４０と切り欠き１１２とを当接させて係止することで、高さ調整ボルト３２の回転を抑制できる。
【００９１】
また、頭のないねじ部品を用いて高さ調整ボルト３２の回転を抑制する構成であってもよい。例えば図１５に示すように、六角穴付ムシネジ２５０を用いることが考えられる。図１５に示すアジャスタ構造において、床面接触部材７６は図６（Ａ）に記載したものと同様であるが、第１ねじ３６に代えて六角穴付ムシネジ２５０がねじ穴２５２と螺合するように構成されている。
【００９２】
このように構成されたアジャスタ構造では、六角穴付ムシネジ２５０を取外すのみでなく、破線で示す六角穴付ムシネジ２５０の位置までねじを締めて家具２５４の内部まで螺入することで、高さ調整ボルト３２の回転抑制を解除することができる。
【符号の説明】
【００９３】
２…机、４…脚部、６…支柱、８…連結部、１０…天板、１２…脚端具、１４…アジャスタ部材、１６…床面、２０…開口、２２…切り欠き、２４…第１ねじ穴、２６…第２ねじ穴、３０，３０ａ…床面接触部材、３２…高さ調整ボルト、３４…カバー部材、３６…第１ねじ、３８…第２ねじ、４０…係止穴、４２…頭、４４ａ，４４ｂ…突出部、５０…キャップ、５２…挿入部、５４…第１雌ねじ、５６…第２雌ねじ、５８…空隙、６０…ねじ部、６２…面、６４…頭、６６…ねじ部、７０…床面接触部材、７２…係止穴、７４…突出部、７６…床面接触部材、７８…切り欠き、８０…突出部、８２…床面接触部材、８４…切り欠き、８６…床面接触部材、８８…切り欠き、９０…床面接触部材、９２…切り欠き、９４…床面接触部材、９６…係止穴、１００…家具、１０２…雌ねじ、１０４…雌ねじ、１０６…雌ねじ、１０８…カバー部材、１１０…床面接触部材、１１２…切り欠き、１１４…係合板、１１６…突起、１１８…貫通孔、１２０…床面接触部材、１２２…角柱、１２４…係合板、１２６…切り欠き、１２８…貫通孔、１３０…床面接触部材、１３２…角柱、１３４…係止板、１３６…貫通孔、１４０…係止板、１４２…貫通孔、１４４…突起、１４６…嵌合溝、１６０…床面接触部材、１６２…係合溝、１６４…被覆部材、１６６…係合片、１６８…中空部、１７０…被覆部材、１７２…係合片、１８０…床面接触部材、１８２…係止溝、１８４…係止板、１８６…被覆部、１８８…突起部、１９０…貫通孔、１９２…係止板、１９４…被覆部、１９６…突起部、１９８…嵌合部、２００…嵌合溝、２０２…脚部、２０４…床面接触部材、２０６…雌ねじ、２０８…溝部、２１０…雌ねじ、２１２…貫通孔、２２０…床面接触部材、２２２…高さ調整ボルト、２２４…嵌合溝、２２６…家具、２２８…雌ねじ、２３０…貫通穴、２３２…ピン、２４０…突起部、２４２…係止板、２４４…ガイド溝、２４６…ガイド部材、２４８…頂部、２５０…六角穴付ムシネジ、２５２…ねじ穴、２５４…家具
【図１】
0005566125.tif 000002
【図２】
0005566125.tif 000003
【図３】
0005566125.tif 000004
【図４】
0005566125.tif 000005
【図５】
0005566125.tif 000006
【図６】
0005566125.tif 000007
【図７】
0005566125.tif 000008
【図８】
0005566125.tif 000009
【図９】
0005566125.tif 000010
【図１０】
0005566125.tif 000011
【図１１】
0005566125.tif 000012
【図１２】
0005566125.tif 000013
【図１３】
0005566125.tif 000014
【図１４】
0005566125.tif 000015
【図１５】
0005566125.tif 000016